(57)【要約】      （修正有）【課題】形状保持性及び意匠性の両立を容易に図ることのできる物品陳列用スタンドのカバーを提供する。【解決手段】スタンド１０のカバー５０は、カバー本体３０を備えている。カバー本体３０は、箱体２０内に折り畳まれた状態で収容されている。箱体２０は、頂面部、頂面部に対向する底面部２０ｂ、及び頂面部の周縁と底面部２０ｂの周縁とを全周にわたって連結する側面部２０ｃとを有し、側面部２０ｃに全周にわたって設けられたミシン目により頂面部を含む切り離し部が底面部２０ｂを含むケース部２２から切り離される。カバー本体３０は、カバー本体３０が環状に組み立てられた状態において、ケース部２２の側面部２０ｃに外嵌される周壁部３１を有している。【選択図】図５
0003218493.tif 000002
【実用新案登録請求の範囲】
【請求項１】
物品を収容するとともに、頂面部、前記頂面部に対向する底面部、及び前記頂面部の周縁と前記底面部の周縁とを全周にわたって連結する側面部とを有し、前記側面部に全周にわたって設けられたミシン目により前記頂面部を含む切り離し部が前記底面部を含むケース部から切り離される箱体内に折り畳まれた状態で収容される一方、環状に組み立てられた状態において前記ケース部の前記側面部に外嵌される周壁部を有するカバー本体を備える、
物品陳列用スタンドのカバー。
【請求項２】
前記カバー本体の前記周壁部は、正面部と、前記正面部に対向する背面部と、前記正面部と前記背面部とを連結する一対の側壁部とを有している、
請求項１に記載の物品陳列用スタンドのカバー。
【請求項３】
前記周壁部には、前記周壁部の内側に向けて折り返されるフラップが連なっており、
前記フラップと前記周壁部とにより、当該周壁部に対向する前記ケース部の前記側面部が挟持される、
請求項２に記載の物品陳列用スタンドのカバー。
【請求項４】
前記カバー本体における一対の前記側壁部の高さは、前記正面部に近接するほど低い、
請求項２または請求項３に記載の物品陳列用スタンドのカバー。
【請求項５】
前記箱体内に収容され、当該物品の物品情報を表示するシート状の表示部と、前記表示部の外縁から外側に向けて突出された差込片とを有する表示シートを備え、
前記周壁部の前記背面部には、前記カバー本体が前記ケース部の前記側面部に外嵌された状態において開口側に連なるとともに前記背面部の内側に向けて折り返される背面フラップが設けられており、
前記背面部と前記背面フラップとの境界部分には、前記表示シートの前記差込片が差し込まれる差込孔が設けられている、
請求項２〜請求項４のいずれか一項に記載の物品陳列用スタンドのカバー。
【考案の詳細な説明】
【技術分野】
【０００１】
本考案は、物品陳列用スタンドのカバーに関する。
【背景技術】
【０００２】
従来より、厚紙製の箱体の一部が他の部分から切り離されることで形成され、箱体内に収納された物品を露出させた状態で陳列する物品陳列用スタンドがある（例えば、特許文献１参照）。特許文献１には、正面部と、背面部と、一対の側面部とで構成される四角筒状部と、四角筒状部の上下端縁から延設され、互いに閉じ合わせることにより上面部と下面部となるフラップとを有する収納箱が開示されている。上面部と、正面部の上部を含む大部分とからなる切り離し部は、ミシン目によって収納箱の他の部分から切り離し自在とされている。商品出荷時には、商品を収納した収納箱の上面側フラップと側壁とが粘着テープによって封止される。また、上記収納箱を受け取った店舗では、収納箱に商品が収納された状態のまま、上記切り離し部を除去することによって、切り離し残部に収納された商品を露出させた状態で陳列することができる。なお、表面部の切り離し残部には、商品の宣伝文が表示されている。
【先行技術文献】
【特許文献】
【０００３】
【特許文献１】特開２００２−２１１５４７号公報
【考案の概要】
【考案が解決しようとする課題】
【０００４】
しかしながら、文献１に記載の収納箱の場合、切り離し残部が商品輸送時に露出しているため、輸送中の衝撃などにより型崩れしたり、宣伝文部分に汚れが付着して外観を損なうおそれがある。
【０００５】
本考案の目的は、形状保持性及び意匠性の両立を容易に図ることのできる物品陳列用スタンドのカバーを提供することにある。
【課題を解決するための手段】
【０００６】
上記目的を達成するための物品陳列用スタンドのカバーは、物品を収容するとともに、頂面部、前記頂面部に対向する底面部、及び前記頂面部の周縁と前記底面部の周縁とを全周にわたって連結する側面部とを有し、前記側面部に全周にわたって設けられたミシン目により前記頂面部を含む切り離し部が前記底面部を含むケース部から切り離される箱体内に折り畳まれた状態で収容される一方、環状に組み立てられた状態において前記ケース部の前記側面部に外嵌される周壁部を有するカバー本体を備える。
【０００７】
同構成によれば、箱体の切り離し部をミシン目に沿ってケース部から切り離すと、箱体内に折り畳まれた状態で収容されていたカバー本体を取り出すことが可能となる。そして、カバー本体を環状に組み立てた状態でケース部の側面部に外嵌させることで、物品をケース部から取り出すことなくスタンドが組み立てられる。ここで、カバー本体は折り畳まれた状態で箱体内に収容されているため、輸送時にカバー本体が型崩れしたり、カバー本体に汚れが付着したりすることを抑制できる。こうしたスタンドによれば、段ボールなどからなる箱体のケース部によってスタンドの形状保持性を確保しつつ、陳列される物品の広告などが表示されるカバー本体によってスタンドの意匠性を確保することができる。
【考案の効果】
【０００８】
本考案によれば、形状保持性及び意匠性の両立を容易に図ることができる。
【図面の簡単な説明】
【０００９】
【図１】本実施形態における物品陳列用スタンドを示す斜視図。
【図２】同実施形態における物品陳列用スタンドについて、ボトル、カバー本体、及び表示シートが箱体内に収容されている状態を示す斜視図。
【図３】切り離し部とケース部とが切り離された状態を示す斜視図であって、切り離し部、カバー本体、表示シート、ボトル、及びケース部を互いに離間して示す分解斜視図。
【図４】同実施形態に係るカバー本体の組立手順を示す斜視図であって、（ａ）は、折り畳まれたカバー本体の周壁部が環状に組み立てられる途中の状態を示す斜視図、（ｂ）は、カバー本体の周壁部が環状に組み立てられた状態を示す斜視図、（ｃ）は、正面フラップ及び背面フラップの各々が周壁部の内側に向けて折り返された状態を示す斜視図。
【図５】同実施形態における物品陳列用スタンドの組立手順を示す斜視図であって、（ａ）は、ケース部に対してカバー本体を組み付けるときの状態を示す斜視図、（ｂ）は、ケース部に対して組み付けたカバー本体の側壁フラップを側壁部の内側へ折り返した状態を示す斜視図と、５ｂ−５ｂ線に沿った断面図、（ｃ）は、カバー本体に対して表示シートを取り付けるときの状態を示す斜視図。
【考案を実施するための形態】
【００１０】
以下、図１〜図５を参照して、物品用陳列スタンド（以下、スタンド１０）の一実施形態について説明する。
図２に示すように、スタンド１０は、ボール紙からなる直方体状の箱体２０を有している。箱体２０は、長方形状の頂面部２０ａと、頂面部２０ａと同一の形状をなす底面部２０ｂと、頂面部２０ａの周縁と底面部２０ｂの周縁とを全周にわたって連結する環状の側面部２０ｃとを有している。
【００１１】
箱体２０の内部には、複数の物品（本実施形態においては、ボトルＢ）が陳列された状態で収容されている。側面部２０ｃの高さ方向の中央部分には、全周にわたって上下一対のミシン目２３が設けられている。図３に示すように、一対のミシン目２３を切り離すことにより、箱体２０は、頂面部２０ａを含む切り離し部２１と、底面部２０ｂを含むケース部２２とに切り離される。
【００１２】
図２及び図３に示すように、箱体２０の内部に収容されている各ボトルＢのキャップ上面には、ケース部２２の側面部２０ｃに外嵌されるカバー本体３０が折り畳まれた状態で載置されるとともに、商品名などの物品情報を表示する表示シート４０がカバー本体３０に重ねて載置されている。カバー本体３０と表示シート４０とによりスタンド１０のカバー５０が構成される。
【００１３】
次に、図４及び図５を参照して、カバー本体３０及び表示シート４０の構成と、箱体２０内からカバー本体３０及び表示シート４０を取り出した後のスタンド１０の組立手順とについて説明する。
【００１４】
図４（ａ）及び図４（ｂ）に示すように、カバー本体３０は、厚紙からなり、環状の周壁部３１を有している。周壁部３１は、長方形状の正面部３１ａと、正面部３１ａに対向する長方形状の背面部３１ｂと、正面部３１ａと背面部３１ｂとを連結する一対の側壁部３１ｃとを有している。背面部３１ｂは、幅Ｗが正面部３１ａと同一であるとともに、高さＨが正面部３１ａよりも高い。このため、一対の側壁部３１ｃは、その高さが正面部３１ａに近接するほど低くなる台形状をなしている。
【００１５】
図４（ｂ）及び図４（ｃ）に示すように、正面部３１ａの上端には、正面フラップ３２ａが連なっている。正面フラップ３２ａは、正面部３１ａとの境界部分Ｌａを起点に正面部３１ａの内側に向けて折り返される。背面部３１ｂの上端には、背面フラップ３２ｂが連なっている。背面部３１ｂの高さ方向の中央部分には、一対の円弧状の切り込み３３が幅Ｗ方向に間隔をおいて設けられている。背面フラップ３２ｂが背面部３１ｂとの境界部分Ｌｂを起点に背面部３１ｂの内側に向けて折り返されると、背面フラップ３２ｂの先端縁が一対の切り込み３３に差し込まれる。背面部３１ｂと背面フラップ３２ｂとの境界部分Ｌｂには、一対の差込孔３４が幅Ｗ方向に間隔をおいて設けられている。一対の側壁部３１ｃの各々の下端には、一対の側壁フラップ３２ｃが連なっている。なお、図４（ａ）に示すように、正面部３１ａ及び正面フラップ３２ａの幅Ｗ方向の中央部には、折り線Ｌ１が設けられている。背面部３１ｂ及び背面フラップ３２ｂの幅Ｗ方向の中央部には、折り線Ｌ２が設けられている。
【００１６】
図５（ａ）に示すように、四角環状に組み立てられたカバー本体３０の周壁部３１は、側壁フラップ３２ｃを下側に向けた状態で、ケース部２２の開口側から側面部２０ｃに外嵌される。このとき、図５（ｂ）に拡大して示すように、正面部３１ａと、折り返された状態の正面フラップ３２ａとにより、ケース部２２の側面部２０ｃが挟持される。カバー本体３０がケース部２２の側面部２０ｃに外嵌された状態において、カバー本体３０の一対の側壁部３１ｃ及び背面部３１ｂは、ケース部２２の開口よりも上方へ突出している。
【００１７】
同図に示すように、一対の側壁フラップ３２ｃが側壁部３１ｃとの境界部分Ｌｃを起点に側壁部３１ｃの内側に向けて折り返され、ケース部２２の底面部２０ｂに当接される。
図５（ｃ）に示すように、表示シート４０は、カバー本体３０と同一の厚紙からなり、物品情報を表示する長方形シート状の表示部４１と、表示部４１の外縁（同図の下縁）から外側に向けて突出された一対の差込片４２とを有している。一対の差込片４２の間には、表示部４１の外縁から差込片４２と同方向に向けて突出された係止片４３が設けられている。一対の差込片４２がカバー本体３０の一対の差込孔３４に差し込まれることにより、表示シート４０が背面部３１ｂの上端部に立設される。このとき、図１に示すように、係止片４３は、背面部３１ｂの内側に向けて折り返された背面フラップ３２ｂの正面側へ位置している。すなわち、背面フラップ３２ｂが、表示シート４０の差込片４２と係止片４３とで挟持されている。これにより、表示シート４０が、カバー本体３０に対して安定して保持される。
【００１８】
なお、図４及び図５において、ボトルＢの図示を省略したが、上述したスタンド１０の組立作業は、ボトルＢがケース部２２に陳列された状態のまま行われる。
以上説明した本実施形態に係るスタンドのカバーによれば、以下に示す作用効果が得られるようになる。
【００１９】
（１）スタンド１０のカバー５０は、カバー本体３０を備えている。カバー本体３０は、箱体２０内に折り畳まれた状態で収容されている。箱体２０は、頂面部２０ａ、頂面部２０ａに対向する底面部２０ｂ、及び頂面部２０ａの周縁と底面部２０ｂの周縁とを全周にわたって連結する側面部２０ｃとを有し、側面部２０ｃに全周にわたって設けられたミシン目２３により頂面部２０ａを含む切り離し部２１が底面部２０ｂを含むケース部２２から切り離される。カバー本体３０は、カバー本体３０が環状に組み立てられた状態において、ケース部２２の側面部２０ｃに外嵌される周壁部３１を有している。
【００２０】
こうした構成によれば、箱体２０の切り離し部２１をミシン目２３に沿ってケース部２２から切り離すと、箱体２０内に折り畳まれた状態で収容されていたカバー本体３０を取り出すことが可能となる。そして、カバー本体３０を環状に組み立てた状態でケース部２２の側面部２０ｃに外嵌させることで、ボトルＢをケース部２２から取り出すことなくスタンド１０が組み立てられる。ここで、カバー本体３０は折り畳まれた状態で箱体２０内に収容されているため、輸送時にカバー本体３０が型崩れしたり、カバー本体３０に汚れが付着したりすることを抑制できる。こうしたスタンド１０によれば、段ボールなどからなる箱体２０のケース部２２によってスタンド１０の形状保持性を確保しつつ、陳列されるボトルＢの広告などが表示されるカバー本体３０によってスタンド１０の意匠性を確保することができる。
【００２１】
（２）カバー本体３０の周壁部３１は、正面部３１ａと、正面部３１ａに対向する背面部３１ｂと、正面部３１ａと背面部３１ｂとを連結する一対の側壁部３１ｃとを有している。
【００２２】
こうした構成によれば、一般的な段ボール箱などの箱体に対して本考案を適用することができる。
（３）正面部３１ａには、正面部３１ａの内側に向けて折り返される正面フラップ３２ａが連なっている。正面フラップ３２ａと正面部３１ａとにより、正面部３１ａに対向するケース部２２の側面部２０ｃが挟持される。
【００２３】
こうした構成によれば、正面フラップ３２ａとカバー本体３０の正面部３１ａとにより、正面部３１ａに対向するケース部２２の側面部２０ｃが挟持されるため、ケース部２２に対してカバー本体３０を密に嵌合させることができ、ケース部２２からカバー本体３０が外れることを抑制できる。
【００２４】
（４）カバー本体３０における一対の側壁部３１ｃの高さは、正面部３１ａに近接するほど低い。
こうした構成によれば、正面側に陳列されるボトルＢの視認性を向上することができるとともに、背面側に陳列されるボトルＢをスタンド１０に対して安定して収容することができる。
【００２５】
（５）スタンド１０は、箱体２０内に収容され、ボトルＢの物品情報を表示するシート状の表示部４１と、表示部４１の外縁から外側に向けて突出された差込片４２とを有する表示シート４０を備えている。周壁部３１の背面部３１ｂには、カバー本体３０がケース部２２の側面部２０ｃに外嵌された状態において開口側に連なるとともに背面部３１ｂの内側に向けて折り返される背面フラップ３２ｂが設けられている。背面部３１ｂと背面フラップ３２ｂとの境界部分Ｌｂには、表示シート４０の差込片４２が差し込まれる差込孔３４が設けられている。
【００２６】
こうした構成によれば、カバー本体３０がケース部２２の側面部２０ｃに外嵌された状態において、カバー本体３０の背面部３１ｂの開口側に連なる背面フラップ３２ｂが背面部３１ｂの内側に向けて折り返される。この状態で、背面部３１ｂと背面フラップ３２ｂとの境界部分Ｌｂに設けられた差込孔３４に表示シート４０の差込片４２を差し込むことにより、表示シート４０を背面部３１ｂの上部に立設させることができる。これにより、表示シート４０がカバー本体３０の背面部３１ｂよりも上方に突出するため、表示部４１に表示されるボトルＢの商品名などの物品情報が視認されやすくなる。また、表示シート４０は箱体２０内に収容されているため、輸送時に表示シート４０が破れたり、カバー本体３０に汚れが付着したりすることを抑制できる。
【００２７】
＜変更例＞
なお、上記実施形態は、例えば以下のように変更することもできる。上記実施形態及び以下の変更例は、技術的に矛盾しない範囲で互いに組み合わせて実施することができる。
【００２８】
・表示シート４０を省略した構成とすることもできる。例えば、背面部３１ｂの内側に向けて折り返した背面フラップ３２ｂの正面側に物品情報を表示することもできる。
・カバー本体の一対の側壁部３１ｃの高さが正面部３１ａと背面部３１ｂとの間において一定である構成としてもよい。
【００２９】
・フラップ３２ａ，３２ｂ，３２ｃを省略することもできる。
・カバー本体３０の形状は、四角環状に限られず、円環状など他の形状であってもよい。こうした構成によれば、円筒状のなど他の形状を有する箱体に対して、本発明を適用することができる。
【００３０】
・カバー本体３０及び表示シート４０はボトルＢの側面とケース部２２の側面部２０ｃとの隙間に収容することもできる。
【符号の説明】
【００３１】
１０…スタンド、２０…箱体、２０ａ…頂面部、２０ｂ…底面部、２０ｃ…側面部、２１…切り離し部、２２…ケース部、２３…ミシン目、３０…カバー本体、３１…周壁部、３１ａ…正面部、３１ｂ…背面部、３１ｃ…側壁部、３２ａ…正面フラップ、３２ｂ…背面フラップ、３２ｃ…側壁フラップ、３３…切り込み、３４…差込孔、４０…表示シート、４１…表示部、４２…差込片、４３…係止片，Ｌａ，Ｌｂ，Ｌｃ…境界部分、Ｌ１，Ｌ２…折り線、５０…カバー。
【図１】
0003218493.tif 000003
【図２】
0003218493.tif 000004
【図３】
0003218493.tif 000005
【図４】
0003218493.tif 000006
【図５】
0003218493.tif 000007